(57)【特許請求の範囲】
【請求項１】
ベース上に取り付けられた本体を含むミルであって、
本体のカバー上には粉砕される材料の供給孔、及び、ベース上に粉砕された材料の排出孔が配置され、
前記本体内部の駆動軸上に取り付けられた円盤形状のロータと
を含み、
前記本体が、ロータの回転軸の直径に沿ったベース上の平面において、前記本体の内側面とロータが接触している粉砕ゾーンを含んで自由に方向／位置合わせでき、シフトされた位置で固定されることが可能であり、
前記ロータが、供給孔側に、材料を本体の内面の粉砕ゾーンにむけて分配するブレードを有し、排出孔側に、分級器として動作する分級ブレードを有し、
前記排出孔には、材料の破砕の程度を制御するために調節可能なスライドシャッタを備える、
ミル。
【請求項２】
前記供給孔が、前記ロータの中央部に空気又は水を制御して供給する装置を具備する
請求項１に記載のミル。
【発明の詳細な説明】
【技術分野】
【０００１】
本発明は、静止した本体のミルにおいて、天然かつ高湿度の、無機質、有機質、それらの混合と広範囲にわたる材料の湿式及び乾式の微細及び超微細に分離させて粉砕するための装置に関する。建築材料産業、粉末冶金、放射化学、化学、医療、セルロース、農業及び他の産業で用いられることができる。
【背景技術】
【０００２】
鉱物及び有機材料の湿式及び乾式方法による微細及び超微細に粉砕するためのいくつかの装置が周知である。
【０００３】
さらに、金属及び非金属材料の乾式及び湿式両方の方法により粉砕するためのミルが周知であり（ＲＦ特許第２０２９６２０号、МПКВ０２С１７／０２、１９９５г）、その内部が水平面の回転エレメントとして実現される、２つの同心円状に配置された垂直シリンダと、内側シリンダの作用体及び駆動装置とを含み、ここで外側シリンダの内側キャビティが、水平なしきいによってチャンバに分割され、半径方向に可動なピストンとして形成された動作体が位置し、それらの間に不連続なシリンダ面を形成する。
【０００４】
このミルは、構造体の、高い弾力性又は繊維性を有する材料を微細に分離させて粉砕する課題を解決しない。本設計は、製造及び操作のためには複雑であり、かなりの電力消費を必要とする。
【０００５】
大量の個体を湿式及び乾式に粉砕するための遠心ミルが周知であり（ＲＦ特許第２４１１０８２号、МПКВ０２С１７／００、０８０６２００９г）、中央部に粉砕チャンバ及びスピニングロータを有する本体を含む。ロータの中央部には、第１のフィーダを介して、粉砕される材料が供給され、第２のフィーダを介して、粉砕体（ボール、シルペブ（ｃｙｌｐｅｂｓ）、ぺブル等）が供給され、その硬さは、粉砕される材料の硬さよりも硬い。出発材料の粉砕工程は、ロータが回転するときに、動くボールによってそれをミリングすることによって行われる。
【０００６】
このミルの不利点もまた、高い繊維性を有する有機材料を微細に分離させて粉砕できないことである。さらにこのミルにおいては、大量の粉砕された材料を均一な粒子サイズで得ることができず、粉砕体のシヤーは、粉砕された製品を汚染する可能性がある。
【０００７】
セルロースを含む材料及び植物性材料の粉砕のための粉砕装置が周知であり（ＲＦ特許番号第２１８４６１２РФ、МПКВ０２С１５／０８、１４０８２００１г）、湾曲した円筒形面であり、内部がライニングされた本体と、本体内部に位置するロータセパレータとを含む。本体の上側部分には上側入口ダクトが位置し、出口ダクトは下に位置する。ロータの上側部分には、拡散ブレードが位置し、底部分には、レーキブレードが位置する。上側粉砕ゾーンのロータセパレータは、周辺側壁部の周囲を回転する粉砕体を有する平らな円盤で構成され、底が平らな円盤との間の第２の粉砕ゾーンには、複数の放射状チャネルがあり、その周辺には、半径方向に垂直なプッシャプレートが設置され、半径方向に可動である放射状チャネルの内部には、シリンダ、円盤又はボールの形状の回転粉砕体が配置される。装置本体の外には、水ジャケットが具備される。材料の粉砕は、本体の湾曲した軸受面と接触する材料の上を転がる複数の粉砕体によって行われる。
【０００８】
この装置は、セルロースを含む植物材料を微細に分離させて粉砕するためのみに設計され、製造及び修理が困難である。
【０００９】
プロトタイプとして、材料を供給及び排出するための孔を有する本体と、本体に搭載され、その側壁及びに対して間隙を有するロータとを含む微細粉砕ミルが選択される（ＲＦ特許番号第２０１２４０４号、МПКВ０２С７／０６、В０２С１３／２２、１５０５１９９４г）。ロータは、周囲にｂｏｕｌｓと、それらの間にシリンダとを有する軸と相互接続された２つの円盤の形状で表される。材料の粉砕は、ロータと、本体の端壁とによって形成される高速粉砕チャンバ内で行われる。
【００１０】
この設計は、超微細な製品を得ることを可能にするが、建築材料産業におけるカオリン、タルク、マイカ、グラファイトの粉砕用に設計されている。このミルを用いて、高繊維性、高湿度構造体の材料の超微細な粉砕物を得ることに加えて、湿式粉砕を行うことはできない。
【発明の概要】
【００１１】
本発明の目的は、このような、幅広い範囲の材料を、所望の粉砕の程度（５−１０ミクロン以内）まで粉砕することができるミルを提供することであり、天然かつ高湿度の有機的なセルロースを含む繊維性材料を含み、きわめて細かいサイズに分離させる乾式及び湿式両方の方法による。
【００１２】
上述の結果は、対向して配置された供給及び排出各孔を有する本体と、本体内部の駆動軸に、その側面に対して間隙をもって取り付けられた粉砕エレメントを有する円盤形状のロータとを含むミルによって達成され、本発明によれば、本体は、ロータの回転軸の直径に沿った平面において自由に方向／位置合わせでき、シフトされた位置において固定することが可能であり、排出孔側からのロータには、分級器として動作するブレードを有し、供給孔は、ロータの中央部への空気又は水の供給を制御するための装置を具備する。
【００１３】
ロータの回転軸に対する本体の自由な方向／位置合わせに関連する、請求項に係るミルの設計特性もまた、他の特性とともに、有機材料の繊維を粉砕する状態を作り出すことを可能にし、幅広い範囲の材料を、所定の程度の極度に細かいサイズ（５−１０ミクロン以内）までミリングする粉砕の課題を解決する。
【図面の簡単な説明】
【００１４】
【図１】入口管（入口管は図示せず）からのミルの図である。
【図２】図１のＡ−Ａに沿ったミルの正面図である。
【発明を実施するための形態】
【００１５】
ミル（図１、２）は、粉砕チャンバ本体１で構成され、これは締め付けねじ３（少なくとも３つ）を用いてミルベース２に取り付けられて、ロータ５の回転軸の直径に沿った平面における本体１の位置を固定する。ミルの中央部には、ロータ５が駆動シャフト４上に位置する。粉砕チャンバ１のカバー６には、供給孔７が位置し、ロータ５のシャフト４の中心軸に沿って位置する制御バルブ９を有する吸気ダクト８又は吸水ダクトと結合される。ロータ５は、供給孔側から放射状に位置する複数のブレード１０（複数の粉砕エレメント）を有する。排出孔１４側から、ロータ５は複数のブレード１１を具備し、これは分級器として機能する。締め付けねじ３は、ミルベース２上のミル空間用本体１を制御し、これによってロータ５は、本体の内面とともに粉砕ゾーン１２及び排出ゾーン１３を形成する。排出ゾーン１３では、ミルのベース部２に、調節可能なスライドシャッタ１５を有する排出孔１４が位置する。粉砕チャンバ１は、水冷チャンバ１６を有する。
【００１６】
本ミルは以下のように動作する。
【００１７】
最大直径２５ｍｍの粒子サイズを有する出発材料には、粉砕チャンバ１の中央部に空気又は水が供給されて、ここで遠心力及び流体又は空気力学的な力による影響を受け、材料は、粉砕チャンバの本体１の内面に沿ったロータ５の各ブレード１０によって分配される。材料は、ロータ５の各ブレード１０によって生成された渦流に入り、粉砕ゾーン１２内に押し込まれ、ここで摩擦力及び遠心力による材料の粉砕が行われ、この力はミルチャンバの本体１の面と接触しているロータ５が被粉砕材料上を直線的に転がる速度の元で、主として圧縮荷重にさらされることにより生成される。圧縮荷重による、各粒子内の被粉砕材料の粒子間の摩擦は、被破壊材料の粒子全体量における微小破壊の発生を促進し、これは被粉砕粒子の微小破壊の増大及び圧縮荷重による効果的な破壊につながるため、完成した被粉砕材料の分離性、及び物理−及び（機械）−化学的、並びに化学的な活性化を増大させる。ロータ５は、ねじ３を調節して硬く固定することによって、粉砕チャンバ１の壁の方に移動し、この粉砕ゾーン１２の動きによって排出ゾーン１３が作り出され、材料上に働くいくつもの変化する力が生じ、これによって高効率な披露荷重が付加的に作り出される。材料の粉砕は、圧縮と研磨の同時複合荷重時には高速モードで行われ、これによって材料の自己発生的な粉砕状態が作り出される。これらの荷重の破壊効果は、粉砕ゾーン１２への応力フィールドと、排出ゾーン１３内の自由フィールドと、材料上の機械的効果の局部的性質のプロセスが交互に反復性の時間的性質で繰り返される。渦流は、粉砕ゾーン１２から排出ゾーン１３内へ被粉砕材料を搬送し、ここで各分級ブレード１１の手段を用いて、被粉砕材料の分級およびホッパ（図示せず）への搬送が行われ、並びに排出孔１４内のスライドシャッタ１５の調整が行われる。
【００１８】
有機的な微細繊維材料、特にセルロースを粉砕する場合、繊維がボール状に巻かれ、それらが固まった後に破断し、粉砕ゾーンで繊維が断裂される。
【００１９】
湿式粉砕では、チャネル８を通して水が供給され、流体力学的な方法で材料の粉砕が行われる。
【００２０】
本ミルの利点は、天然及び高湿度の鉱物及び有機材料を、最大５〜１０ミクロンのきわめて細かいサイズに分離された微細な粉末に粉砕することが可能になることである。また、物理−（機械）−化学的、化学的工程、材料の活性化を行うことで、それらの品質特性を向上させる。本ミルの設計は、摩擦による材料の粉砕方式及び本体の位置を調整することを可能にすることにより、ミルの寿命を延ばすことを可能にする。材料は、最低限の電力の消費で材料の破壊に寄与する摩擦によって粉砕される。粉砕の結果として、粉砕された固体の最大面が、工程の最適化により最低限の電力消費で得られる。
【００２１】
特許請求の範囲で設計されたミルが製造され、実作業において試験され、効果に肯定的な結果が得られた。
【図１】
0005940666.tif 000002
【図２】
0005940666.tif 000003